(57)【要約】【課題】構成を簡素化し得るとともに部品点数が増大してしまうのを抑制してコストを低減させることができるシリンダ錠の保護装置を提供する。【解決手段】キー孔Ｒａに挿入されたイグニッションキーＩＫの回転操作及び当該キー孔Ｒａからの抜き取りに応じて動作するカム部材４と、非作動位置から作動位置に移動することでシャッター２を開放位置から閉塞位置に移動させ、且つ、マグネットキーＭＫによりシャッター２を閉塞位置から開放位置に移動させた際に係止位置とされる作動部材５と、作動部材５を非作動位置から作動位置に向かって常時付勢するコイルバネ６と、作動部材５を非作動位置にて係止するとともに、ロータＲがロック位置にあり、且つ、イグニッションキーＩＫがキー孔Ｒａから抜き取られた際のカム部材４の動作によって当該係止が解除される係止手段７とを具備したシリンダ錠の保護装置。【選択図】図２
2015021295.tif 000002
【特許請求の範囲】
【請求項１】
イグニッションキーを挿入し得るキー孔が形成されたロータを覆って取り付けられたハウジングと、
該ハウジング内で閉塞位置と開放位置との間で移動可能とされ、閉塞位置で前記キー孔を塞ぐとともに開放位置で当該キー孔を開放するシャッターと、
閉塞位置にある前記シャッターをロックする施錠手段と、
該施錠手段によるロックを解除し、前記シャッターを閉塞位置から開放位置まで移動させる解錠手段と、
を具備するとともに、前記キー孔に挿通されたイグニッションキーの回転操作により、車両が具備するエンジンを始動させるオン位置、当該エンジンを停止させるオフ位置、及び車両が具備するハンドルバーをロックするロック位置の間をロータが回転可能とされたシリンダ錠の保護装置であって、
前記キー孔に挿入されたイグニッションキーの回転操作及び当該キー孔からの抜き取りに応じて動作するカム部材と、
前記シャッターと連動可能とされるとともに、非作動位置、作動位置及び前記ハウジングに対して係止された係止位置の間で移動可能とされ、非作動位置から作動位置に移動することで前記シャッターを開放位置から閉塞位置に移動させ、且つ、前記解錠手段により前記シャッターを閉塞位置から開放位置に移動させた際に係止位置とされる作動部材と、
該作動部材を非作動位置から作動位置に向かって常時付勢する付勢手段と、
前記作動部材を非作動位置にて係止するとともに、前記ロータが特定位置にあり、且つ、イグニッションキーがキー孔から抜き取られた際の前記カム部材の動作によって当該係止が解除される係止手段と、
を具備したことを特徴とするシリンダ錠の保護装置。
【請求項２】
前記特定位置は、ロック位置であることを特徴とする請求項１記載のシリンダ錠の保護装置。
【請求項３】
前記作動部材と係止手段とが連動可能とされ、係止位置にある作動部材の係止を前記係止手段が解いて非作動位置とするとともに、当該非作動位置とされた作動部材を前記係止手段にて係止することを特徴とする請求項１又は請求項２記載のシリンダ錠の保護装置。
【請求項４】
前記作動部材は、係合凸部が形成されるとともに、前記ハウジングには、前記作動部材が係止位置にあるとき当該係合凸部を係止する係合溝部が形成されたことを特徴とする請求項１〜３の何れか１つに記載のシリンダ錠の保護装置。
【請求項５】
前記作動部材は、案内凸部が形成されるとともに、前記ハウジングには、当該案内凸部を嵌合させて前記作動部材の非作動位置と作動位置との間の移動を案内する案内溝部が形成されたことを特徴とする請求項４記載のシリンダ錠の保護装置。
【発明の詳細な説明】
【技術分野】
【０００１】
本発明は、二輪車などが具備するシリンダ錠の破壊等を防止し得るシリンダ錠の保護装置に関するものである。
【背景技術】
【０００２】
二輪車のシリンダ錠は、通常、イグニッションキーを挿抜可能なキー孔が形成されたロータを具備しており、従来、第三者によるはさみやドライバ等の当該キー孔への差し込みでシリンダ錠がいたずらされて破壊されるのを防止するために、例えば特許文献１で開示されたようなシリンダ錠の保護装置が提案されている。かかるシリンダ錠の保護装置は、キー孔を閉状態とする閉塞位置から当該キー孔を開状態とする開放位置まで移動可能なシャッターと、該シャッターを開放位置と閉塞位置との間で移動自在に保持するハウジングと、シャッターを閉塞位置に保持することによりキー孔を閉塞して施錠するマグネット錠と、磁石の磁気によりマグネット錠を解錠するマグネットキーとを具備していた。
【０００３】
上記シリンダ錠の保護装置によれば、ハウジングから突出したシャッターの一部を当該ハウジング内に押し込む操作を行うことによりキー孔を閉塞しつつ、その位置でマグネット錠にて施錠することができる。すなわち、シャッターを閉塞位置とするための操作部が形成されており、運転者が当該操作部を操作することによってシャッターを閉塞位置とし、キー孔を覆ってシリンダ錠を保護し得る構成とされているのである。
【０００４】
一方、上記のシリンダ錠の保護装置においては、運転者が操作部を操作することによりシャッターを閉塞位置とするため、その操作が面倒であり、シャッターを閉塞位置にしない状態（保護装置を機能させない状態）で駐車することが頻繁に生じてしまうという不具合があった。すなわち、シャッターを閉塞位置とするには、イグニッションキーを抜く動作と、その後の操作部の操作との２つの動作が必要となるため、操作部の操作が面倒であると感じるユーザが多く、保護装置を機能させない状態で駐車してしまう不具合が生じてしまうのである。
【０００５】
こうした不具合を解消すべく、例えば特許文献２にて開示されているように、ロータがロック位置にあるとき、イグニッションキーをキー孔から抜き取る際、シャッターを自動的に閉塞位置まで移動させるものが提案されるに至っている。かかる従来のシリンダ錠の保護装置は、シャッターを開放位置から閉塞位置に移動させる作動部材と、シャッターを開放位置に保持する第１係合部材及び第２係合部材と、イグニッションキーのキー孔に対する回転操作及び挿抜に応じて第１係合部材及び第２係合部材を作動させるカム手段とを具備していた。
【先行技術文献】
【特許文献】
【０００６】
【特許文献１】特開平１１−４４１３２号公報
【特許文献２】特開２００９−１２１２２８号公報
【発明の概要】
【発明が解決しようとする課題】
【０００７】
しかしながら、上記した特許文献２で開示された従来技術においては、作動部材に加えて、第１係合部材及び第２係合部材の２つの部材が必要とされることから、構成が複雑となるとともに部品点数が増大してコストが嵩んでしまうという問題があった。
【０００８】
本発明は、このような事情に鑑みてなされたもので、構成を簡素化し得るとともに部品点数が増大してしまうのを抑制してコストを低減させることができるシリンダ錠の保護装置を提供することにある。
【課題を解決するための手段】
【０００９】
請求項１記載の発明は、イグニッションキーを挿入し得るキー孔が形成されたロータを覆って取り付けられたハウジングと、該ハウジング内で閉塞位置と開放位置との間で移動可能とされ、閉塞位置で前記キー孔を塞ぐとともに開放位置で当該キー孔を開放するシャッターと、閉塞位置にある前記シャッターをロックする施錠手段と、該施錠手段によるロックを解除し、前記シャッターを閉塞位置から開放位置まで移動させる解錠手段とを具備するとともに、前記キー孔に挿通されたイグニッションキーの回転操作により、車両が具備するエンジンを始動させるオン位置、当該エンジンを停止させるオフ位置、及び車両が具備するハンドルバーをロックするロック位置の間をロータが回転可能とされたシリンダ錠の保護装置であって、前記キー孔に挿入されたイグニッションキーの回転操作及び当該キー孔からの抜き取りに応じて動作するカム部材と、前記シャッターと連動可能とされるとともに、非作動位置、作動位置及び前記ハウジングに対して係止された係止位置の間で移動可能とされ、非作動位置から作動位置に移動することで前記シャッターを開放位置から閉塞位置に移動させ、且つ、前記解錠手段により前記シャッターを閉塞位置から開放位置に移動させた際に係止位置とされる作動部材と、該作動部材を非作動位置から作動位置に向かって常時付勢する付勢手段と、前記作動部材を非作動位置にて係止するとともに、前記ロータが特定位置にあり、且つ、イグニッションキーがキー孔から抜き取られた際の前記カム部材の動作によって当該係止が解除される係止手段とを具備したことを特徴とする。
【００１０】
請求項２記載の発明は、請求項１記載のシリンダ錠の保護装置において、前記特定位置は、ロック位置であることを特徴とする。
【００１１】
請求項３記載の発明は、請求項１又は請求項２記載のシリンダ錠の保護装置において、前記作動部材と係止手段とが連動可能とされ、係止位置にある作動部材の係止を前記係止手段が解いて非作動位置とするとともに、当該非作動位置とされた作動部材を前記係止手段にて係止することを特徴とする。
【００１２】
請求項４記載の発明は、請求項１〜３の何れか１つに記載のシリンダ錠の保護装置において、前記作動部材は、係合凸部が形成されるとともに、前記ハウジングには、前記作動部材が係止位置にあるとき当該係合凸部を係止する係合溝部が形成されたことを特徴とする。
【００１３】
請求項５記載の発明は、請求項４記載のシリンダ錠の保護装置において、前記作動部材は、案内凸部が形成されるとともに、前記ハウジングには、当該案内凸部を嵌合させて前記作動部材の非作動位置と作動位置との間の移動を案内する案内溝部が形成されたことを特徴とする。
【発明の効果】
【００１４】
請求項１の発明によれば、作動部材は、シャッターと連動可能とされるとともに、非作動位置、作動位置及びハウジングに対して係止された係止位置の間で移動可能とされ、非作動位置から作動位置に移動することでシャッターを開放位置から閉塞位置に移動させ、且つ、解錠手段によりシャッターを閉塞位置から開放位置に移動させた際に係止位置とされるので、当該作動部材を係止させる機能（解錠手段によりシャッターを閉塞位置から開放位置に移動させた際の係止機能）を作動部材自体が併せ持つこととなり、構成を簡素化し得るとともに部品点数が増大してしまうのを抑制してコストを低減させることができる。
【００１５】
請求項２の発明によれば、特定位置は、ロック位置であるので、駐車時にロータをロック位置まで操作してハンドルバーをロックさせる場合に限ってシャッターを自動的に閉塞位置まで移動させることができる。したがって、運転者が防犯を意識した状態（すなわち、ロータをロック位置まで操作してキー孔からイグニッションキーを抜き取る際）において、ハンドルバーのロックに加え、シャッターを自動的に閉塞位置まで移動させるとともに、防犯を意識しない状態（すなわち、ロータがオフ位置にあるときキー孔からイグニッションキーを抜き取る際）において、シャッターを自動的には閉塞位置まで移動させない構成とすることができ、防犯性の向上と利便性の両立を図ることができる。
【００１６】
請求項３の発明によれば、作動部材と係止手段とが連動可能とされ、係止位置にある作動部材の係止を係止手段が解いて非作動位置とするとともに、当該非作動位置とされた作動部材を係止手段にて係止するので、係止位置にある作動部材を円滑且つ確実に非作動位置とすることができる。
【００１７】
請求項４の発明によれば、作動部材は、係合凸部が形成されるとともに、ハウジングには、作動部材が係止位置にあるとき当該係合凸部を係止する係合溝部が形成されたので、より簡単な構成にて確実に作動部材を係止位置にて係止させることができる。
【００１８】
請求項５の発明によれば、作動部材は、案内凸部が形成されるとともに、ハウジングには、当該案内凸部を嵌合させて作動部材の非作動位置と作動位置との間の移動を案内する案内溝部が形成されたので、より確実且つ円滑に作動部材を非作動位置と作動位置との間で移動させることができる。
【図面の簡単な説明】
【００１９】
【図１】本発明の実施形態に係るシリンダ錠の保護装置を示す平面図
【図２】同シリンダ錠の保護装置を示す分解斜視図
【図３】同シリンダ錠の保護装置における作動部材を示す３面図
【図４】同シリンダ錠の保護装置におけるハウジングの蓋部を示す３面図
【図５】同シリンダ錠の保護装置における施錠手段近傍を示す断面模式図であって、（ａ）施錠手段にてシャッターがロックされた状態、（ｂ）解錠手段にてシャッターのロックが解除された状態
【図６】同シリンダ錠の保護装置におけるイグニッションキー及びマグネットキーを示す平面図及び正面図
【図７】同シリンダ錠の保護装置の内部構成を示す模式図（イグニッションキー挿通なし、且つ、ロック位置）
【図８】図７における係合凸部と係合溝部との位置関係を示す模式図（手動でイグニッションキー挿通なし、且つ、ロック位置）
【図９】同シリンダ錠の保護装置の内部構成を示す模式図（作動部材が係止位置に移動した状態）
【図１０】図９における係合凸部と係合溝部との位置関係を示す模式図（作動部材が係止位置に移動した状態）
【図１１】同シリンダ錠の保護装置の内部構成を示す模式図（図９、１０の状態から手動操作でシャッターを閉塞位置に移動させた状態）
【図１２】図１１における係合凸部と係合溝部との位置関係を示す模式図（図９、１０の状態から手動操作でシャッターを閉塞位置に移動させた状態）
【図１３】同シリンダ錠の保護装置の内部構成を示す模式図（イグニッションキー挿通あり、且つ、ロック位置）
【図１４】図１３における係合凸部と係合溝部との位置関係を示す模式図（イグニッションキー挿通あり、且つ、ロック位置）
【図１５】図１３におけるカム部材、作動部材及び係止手段の位置関係を示す模式図（イグニッションキー挿通あり、且つ、ロック位置）
【図１６】同シリンダ錠の保護装置の内部構成を示す模式図（イグニッションキー挿通あり、且つ、オフ位置）
【図１７】図１６における係合凸部と係合溝部との位置関係を示す模式図（イグニッションキー挿通あり、且つ、オフ位置）
【図１８】図１６におけるカム部材、作動部材及び係止手段の位置関係を示す模式図（イグニッションキー挿通あり、且つ、オフ位置）
【図１９】同シリンダ錠の保護装置の内部構成を示す模式図（図１６、１７の状態からロック位置まで回動操作した状態）
【図２０】図１９における係合凸部と係合溝部との位置関係を示す模式図（図１６、１７の状態からロック位置まで回動操作した状態）
【図２１】図１９におけるカム部材、作動部材及び係止手段の位置関係を示す模式図（図１６、１７の状態からロック位置まで回動操作した状態）
【図２２】同シリンダ錠の保護装置の内部構成を示す模式図（イグニッションキー挿通あり、且つ、オン位置）
【図２３】図２２における係合凸部と係合溝部との位置関係を示す模式図（イグニッションキー挿通あり、且つ、オン位置）
【図２４】図２２におけるカム部材、作動部材及び係止手段の位置関係を示す模式図（イグニッションキー挿通あり、且つ、オン位置）
【発明を実施するための形態】
【００２０】
以下、本発明の実施形態について図面を参照しながら具体的に説明する。
本実施形態に係るシリンダ錠の保護装置は、二輪車が具備するシリンダ錠のキー孔上方に設けられ、当該キー孔を外側から開放又は閉塞することによりシリンダ錠を保護し得るもので、図１〜６に示すように、ハウジング１と、シャッター２と、施錠手段としてのマグネット錠３と、解錠手段としてのマグネットキーＭＫ（図６参照）と、カム部材４と、作動部材５と、付勢手段としてのコイルバネ６と、係止手段７とから主に構成されている。
【００２１】
ハウジング１は、二輪車が具備するロータＲ（図２参照）を覆って取り付けられ、上記のマグネットキーＭＫを除く各種構成要素を内部に収容するとともに、二輪車のシリンダ錠を構成するシリンダボディ（不図示）の上端部を収容し得るようになっている。かかるシリンダボディ内には、複数のタンブラを具備したロータＲが配設されるとともに、当該ロータＲには、キー孔Ｒａ（図２参照）が形成されてイグニッションキーＩＫを挿抜（抜き差し）し得るよう構成されている。
【００２２】
具体的には、ハウジング１は、ケース部１ａと、蓋部１ｂとから主に構成されており、当該ケース部１ａの上部に蓋部１ｂを取り付けることにより、内部に保護装置を構成する各種構成要素を収容可能な収容空間が形成されるようになっている。なお、蓋部１ｂには、キー孔Ｒａを上方に臨ませ得る開口Ｈ１及びシャッター２におけるマグネット錠３が形成された部位を上方に臨ませ得る開口Ｈ２が形成されるとともに、ケース部１ａには、シリンダ錠の上端部（ロータＲが配設された部位）を挿通可能な開口Ｈ３が形成されている。また、符号８は、カム部材４をケース部１ａに対して回転可能に支持するための板材を示している。
【００２３】
また、ロータＲは、キー孔ＲａにイグニッションキーＩＫを挿入した状態にて回動操作可能とされており、二輪車が具備するエンジンを始動させるオン位置（「ＯＮ」なる表示が蓋部１ｂ等になされた位置）、当該エンジンを停止させるオフ位置（「ＯＦＦ」なる表示が蓋部１ｂ等になされた位置）、及び車両が具備するハンドルバーをロックするロック位置（「ＬＯＣＫ」なる表示が蓋部１ｂ等になされた位置）の間を回動可能とされている。
【００２４】
なお、ロータＲがオフ位置にあるとき、キー孔Ｒａに挿入したイグニッションキーＩＫを押圧して押し込み、その状態で図１中左側へ回動させることにより、ロック位置までの回動操作が可能とされている。このロック位置にロータＲが移動すると、シリンダボディ内のロックバー（不図示）が突出するよう構成されており、当該ロックバーがハンドルバーの回動軸に形成されたロック孔（不図示）内に挿入して係止することにより、当該ハンドルバーに対するロックがなされるようになっている。
【００２５】
シャッター２は、ハウジング１内で閉塞位置（図７参照）と開放位置（図９参照）との間で移動（ボス部Ｂを中心とした回動）可能とされ、閉塞位置でキー孔Ｒａを塞ぐとともに開放位置でキー孔Ｒａを開放し得るものである。具体的には、図５に示すように、シャッター２の回転中心部（本実施形態においては、マグネット錠３が形成された部位）がハウジング１に形成されたボス部ＢにＯリング等のシール材を介して嵌合され、該ボス部Ｂを中心に回動可能とされている。
【００２６】
また、シャッター２は、遮蔽部２ａを有しており、開放位置においては、当該遮蔽部２ａがキー孔Ｒａを避けた位置とされて当該キー孔Ｒａを開放するとともに、閉塞位置においては、当該遮蔽部２ａがキー孔Ｒａを覆って塞ぐ（外部から遮蔽する）ようになっている。さらに、シャッター２は、作動部材５の係止部ｔに係止され得る被係止部２ｂが形成されており、当該作動部材５が図９（ａ）中下方へ移動するのに伴って連動し、開放位置から閉塞位置に回転し得るようになっている。
【００２７】
施錠手段としてのマグネット錠３は、図５（ａ）（ｂ）に示すように、ハウジング１（ケース部１ａ）のボス部Ｂにおいて複数（本実施形態においては４つ）形成された凹部Ｂａ内にそれぞれ配設されるとともに、コイルスプリングＳ３によりそれぞれ上方（シャッター２の裏面側）へ付勢された磁石Ｍａを有して構成されたものであり、閉塞位置にあるシャッター２の凹部２ｃに磁石Ｍａを嵌入させて、当該シャッター２をロックし得るものである。すなわち、磁石Ｍａは、シャッター２が開放位置にあるときは当該シャッター２の裏面側で押されて凹部Ｂａ内に収まっている一方、閉塞位置にあるときは上方へ突出してシャッター２に形成された凹部２ｃと係止し得るようになっている。これにより、閉塞位置にあるシャッター２が開放位置方向へ回動しないようにロックすることができる。
【００２８】
解錠手段としてのマグネットキーＭＫは、マグネット錠３の磁石Ｍａによるロック（係合）を解除し、シャッター２を閉塞位置から開放位置まで手動にて移動させるためのものである。かかるマグネットキーＭＫは、図６に示すように、イグニッションキーＩＫの把持部に一体成形された部位から成り、内部に磁石Ｍｂを有して成る。そして、図５（ｂ）に示すように、マグネットキーＭＫをシャッター２におけるマグネット錠３が形成された部位ｆ（シャッター２の回動中心部における表面）に当接させると、磁石Ｍｂと磁石Ｍａとが対向するとともに、これら磁石Ｍｂ、Ｍａは互いに同じ極（Ｓ極とＳ極又はＮ極とＮ極）が対向するよう設定されている。なお、このときマグネットキーＭＫが部位ｆ（シャッター２の表面）に対して回動方向に嵌合し連れ回し可能とされている。
【００２９】
しかして、マグネットキーＭＫをシャッター２の部位ｆに嵌合させつつ当接させることにより、磁石Ｍａ、Ｍｂの磁力に伴う反発力で当該磁石ＭａはコイルスプリングＳ３の付勢力に抗して下降し、凹部２ｃとの嵌合が解かれることとなるので、当該マグネットキーＭＫをそのまま回動させることにより、シャッター２を開放位置まで回動させることができる。
【００３０】
カム部材４は、キー孔Ｒａに挿入されたイグニッションキーＩＫの回転操作及び当該キー孔Ｒａからの抜き取りに応じて動作するもので、ロータＲａの平面視形状に対応させた外輪郭を有する円板状部材４ａと、該円板状部材４ａ内で摺動可能な摺動部材４ｂとから主に構成されている。かかるカム部材４は、ハウジング１内における開口Ｈ１の直下であってロータＲの上端面（キー孔Ｒａが形成された面）より上方の位置に配設されている。
【００３１】
しかるに、イグニッションキーＩＫをキー孔Ｒａに挿入させる過程において、イグニッションキーＩＫの先端が摺動部材４ｂの基端側部位（円板状部材４ａに対する中央側部位）と当接するよう構成されており、その当接状態から更にイグニッションキーＩＫを挿入させることにより、当該摺動部材４ｂを摺動させて、図１３に示すような状態（イグニッションキーＩＫの挿入状態）とされるようになっている。かかる挿入状態においては、摺動部材４ｂの先端側部位（円弧状部位）が円板状部材４ａの側面と合致して、連続した円弧となるよう設定されている。
【００３２】
一方、イグニッションキーＩＫをキー孔Ｒａから抜き取ると、摺動部材４ｂが元の状態（図９で示す状態）に戻るよう構成されている。よって、カム部材４は、イグニッションキーＩＫのキー孔Ｒａに対する挿入又は抜き取りに応じて摺動部材４ｂが動作するとともに、キー孔Ｒａに挿入されたイグニッションキーＩＫが回転操作されると、ロータＲと共に回転し得るようになっている。なお、カム部材４（円板状部材４ａ）の側面における所定部位には、カム部４ａｂが形成されており、当該カム部材４の回転時、係止手段７を押圧して摺動（バネａの付勢力に抗するスライド動作）させ得るようになっている。
【００３３】
作動部材５は、シャッター２と連動可能とされるとともに、非作動位置（図１６、１７参照）、作動位置（図７、８参照）及びハウジング１に対して係止された係止位置（図９、１０参照）の間で移動可能とされ、非作動位置から作動位置に移動（図中下方への摺動）することでシャッター２を開放位置から閉塞位置に移動させ、且つ、マグネットキーＭＫ（解錠手段）によりシャッター２を閉塞位置から開放位置に移動させた際に、係止位置とされるものである。
【００３４】
すなわち、既述したように、作動部材５は、その係止部ｔによってシャッター２の被係止部２ｂと係止されていることから、シャッター２と連動可能とされており、作動部材５の図中下方への移動時にシャッター２を開放位置から閉塞位置に移動させ得るとともに、マグネットキーＭＫにて閉塞位置にあるシャッター２を開放位置まで手動操作すると、作動部材５が係止位置まで移動して係止され得るようになっているのである。
【００３５】
より具体的には、本実施形態に係る作動部材５は、図３に示すように、所定位置に係合凸部５ａが形成されるとともに、ハウジング１の蓋部１ｂには、図４に示すように、作動部材５が係止位置にあるとき当該係合凸部５ａを係止する係合溝部１ｂｂが形成されている。かかる係合溝部１ｂｂは、係合凸部５ａを案内するための図中上下方向に延びる直線上の第１案内溝部１ｂａの端部（図中上端部）から連続しつつ屈曲した方向に延設された溝形状から成る。これにより、作動部材５は、作動位置と非作動位置との間で移動する際、第１案内溝部１ｂａに係合凸部５ａが嵌合しつつ摺動することで案内されるとともに、非作動位置から更に係合位置まで移動すると、係合凸部５ａが第１案内溝部１ｂａの端部壁面に当接した後、係合溝部１ｂｂに向かって移動し（このとき、作動部材５は、回動して所定角度傾斜した状態となる）、その係合溝部１ｂｂの所定位置で係止されることとなる。
【００３６】
また、本実施形態に係る作動部材５は、図３に示すように、係合凸部５ａに加え、所定位置に案内凸部５ｂが形成されるとともに、ハウジング１の蓋部１ｂには、図４に示すように、当該案内凸部５ｂを嵌合させて作動部材５の非作動位置と作動位置との間の移動を案内する第２案内溝部１ｂｃが形成されている。これにより、作動部材５は、作動位置と非作動位置との間で移動する際、第１案内溝部１ｂａに対する係合凸部５ａの嵌合による案内に加え、第２案内溝部１ｂｃに対する案内凸部５ｂの嵌合による案内が行われることとなる。
【００３７】
さらに、作動部材５には、係止手段７が当接して非作動位置にて係止可能な被係止部５ｄが形成されている。なお、シャッター２は、係止部ｔによる一方向に対する係止（作動部材５が作動位置に向かう方向に対する係止）にて作動部材５と連動可能とされているため、作動部材５が非作動位置から作動位置まで移動する際、連動して開放位置から閉塞位置まで移動するともに、作動部材５が非作動位置にあるとき、単独で（すなわち、作動部材５とは独立して）開放位置と閉塞位置との間を移動し得るようになっている。
【００３８】
付勢手段としてのコイルバネ６は、一端がハウジング１のケース部１ａ側に当接するとともに、他端が作動部材５の所定部位５ｃ（図３参照）に当接して組み付けられており、作動部材５を非作動位置から作動位置に向かって（図中下方に向かって）常時付勢するためのものである。これにより、作動部材５は、非作動位置にあるとき、係止手段７による係止が解除されると、コイルバネ６の付勢力にて摺動し、非作動位置から作動位置まで自動的に移動し得るよう構成されている。
【００３９】
係止手段７は、作動部材５を非作動位置にて係止するとともに、ロータＲが特定位置（本実施形態においてはロック位置）にあり、且つ、イグニッションキーＩＫがキー孔Ｒａから抜き取られた際のカム部材４の動作によって当該係止（作動部材５に対する係止）が解除されるよう構成されたものである。具体的には、係止手段７は、ハウジング１のケース部１ａに摺動可能に組み付けられたスライド片（駒状部材）から成り、バネａ（図２参照）にて所定方向（カム部材４に向かう方向）に付勢されている。
【００４０】
しかして、係止手段７は、作動部材５が非作動位置にあるとき、作動部材５の被係止部５ｄに当接した位置とされ、当該作動部材５を非作動位置にて係止するとともに、ロータＲが特定位置（本実施形態においてはロック位置）にあり、且つ、イグニッションキーＩＫがキー孔Ｒａから抜き取られた際、カム部材４における摺動部材４ｂの移動に伴いバネａの付勢力によってスライドし、作動部材５に対する係止が解かれた状態とされる。
【００４１】
さらに、本実施形態においては、作動部材５が係止位置にあるとき、ロータＲがロック位置（特定位置）からオフ位置まで回転する過程において、カム部材４のカム部４ａｂによって係止手段７がバネａの付勢力に抗してスライドして当該作動部材５を押圧し、係合凸部５ａに対する係合溝部１ｂｂに対する係合を解除させ得るようになっている。これにより、作動部材５は、係止位置から非作動位置に移動することとなり、係止手段７にて係止されることとなる。
【００４２】
すなわち、本実施形態においては、作動部材５と係止手段７とが連動可能とされ、係止位置にある作動部材５の係止（ハウジング１に対する係止）を係止手段７が解いて非作動位置とするとともに、当該非作動位置とされた作動部材５を係止手段７にて係止するよう構成されているのである。しかして、作動部材５と係止手段７とが連携することにより、作動部材５を係止位置から非作動位置に移動させる動作と、係合凸部５ａによる作動部材５の係合状態から係止手段７による作動部材５の係合状態へと切り替えることができる。
【００４３】
次に、本実施形態に係るシリンダ錠の保護装置における動作について説明する。
まず、キー孔ＲａにイグニッションキーＩＫが挿入されず、且つ、ロータＲがロック位置にあるとき、図７、８に示すように、作動部材５は、作動位置とされるとともに、シャッター２は、閉塞位置とされている。このとき、係止手段７は、図７（ｂ）に示すように、バネａの付勢力によって作動部材５から後退した位置に保持されている。
【００４４】
かかる状態からシャッター２を開放位置とするには、マグネットキーＭＫをシャッター２の部位ｆに当接してマグネット錠３（施錠手段）によるロックを解除しつつ回動させる。このとき、作動部材５の係止部ｔに対してシャッター２の被係止部２ｂが係止していることから、図９、１０に示すように、シャッター２が開放位置に向かって回動するのに伴って作動部材５が連動して上方に向かって摺動することとなる。しかるに、シャッター２が開放位置に向かって回動するのに伴って作動部材５が上方へ摺動する際、係合凸部５ａが第１案内溝部１ｂａに嵌合しつつ摺動するとともに、案内凸部５ｂが第２案内溝部１ｂｃに嵌合しつつ摺動することとなり、作動部材５の移動が案内される。
【００４５】
そして、作動部材５は、非作動位置より更に移動すると、図１０に示すように、係合凸部５ａが係合溝部１ｂｂに至り、係止位置にて係止されることとなる。すなわち、マグネットキーＭＫを回転操作してシャッター２を開放位置に向かって移動させることにより、作動部材５を係止位置にて保持させることができるとともに、シャッター２を開放位置とすることができるのである。なお、このとき、シャッター２の開放位置から閉塞位置への移動が許容されているので、シャッター２の部位ｆに当接させたマグネットキーＭＫを反対方向に再び回動させれば、図１１、１２に示すように、作動部材５を係止位置に保持しつつ当該シャッター２を閉塞位置とすることができる。
【００４６】
一方、上記のようにシャッター２を開放位置とした後、キー孔ＲａにイグニッションキーＩＫを挿入すると、図１３、１４に示すように、当該イグニッションキーＩＫに押圧されて（既述したイグニッションキーＩＫの挿入状態とされて）カム部材４の摺動部材４ｂが摺動し、摺動部材４ｂの先端側部位（円弧状部位）が円板状部材４ａの側面と合致してカム部材４の外輪郭が連続した円弧（カム部材４の断面形状が略円形）とされる。
【００４７】
このとき、図１５に示すように、摺動部材４ｂの先端側部位によって係止手段７が押圧されて作動部材５における被係止部５ｄの下方の位置（作動部材５が下方へ摺動すれば係止可能な位置）まで移動する。なお、このとき、作動部材４ｂは、係止手段７による係止が行われておらず、専ら係合凸部５ａの係合溝部１ｂｂに対する係合によって係止されており、係止位置に保持されるようになっている。
【００４８】
その後、キー孔Ｒａに挿入したイグニッションキーＩＫをオフ位置まで回転操作するとカム部材４も連動して回転することから、当該カム部材４のカム部４ａｂにて係止手段７がバネａの付勢力に抗して更に移動し、図１６、１７に示すように、作動部材５を押圧することとなる。これにより、係合凸部５ａが係合溝部１ｂｂから離間して係止が解かれるので、作動部材５がコイルバネ６の付勢力によって僅かに下方に摺動するとともに、図１８に示すように、被係止部５ｄに対して係止手段７が当接することで作動部材５が係止されることとなる。
【００４９】
さらに、キー孔Ｒａに挿入したイグニッションキーＩＫをロック位置（特定位置）まで回転操作するとカム部材４も連れ回しされ、図１９、２０に示すように、カム部材４の摺動部材４ｂの先端側部位が係止手段７（被係止部５ｄと係止する部位とは反対側の部位）と当接した位置とされる。なお、このとき、係止手段７は、図２１に示すように、作動部材５の被係止部５ｄと当接して係合状態が保持されている。
【００５０】
かかる状態から、イグニッションキーＩＫをキー孔Ｒａから抜き取ると、図７、８に示すように、カム部材４の摺動部材４ｂが元の状態（イグニッションキーＩＫが挿入される前の状態）に戻るとともに、係止手段７がバネａの付勢力によって、図７（ｂ）中左方向へ移動する。これにより、係止手段７が作動部材５の被係止部５ｄから離間して、係止が解かれることとなる。
【００５１】
しかして、係止手段７による被係止部５ｄに対する係止が解かれると、作動部材５が
コイルバネ６（付勢手段）の付勢力によって図中下方に摺動し始めるとともに、当該作動部材５の係止部ｔがシャッター２の被係止部２ｂを押圧する。これによって、シャッター２が開放位置から閉塞位置に向かって移動し始めることとなる。そして、作動部材５が摺動端（下端）である作動位置に達すると、シャッター２が閉塞位置とされる。
【００５２】
このように、キー孔Ｒａに挿入したイグニッションキーＩＫをロック位置（特定位置）まで回転操作した後、そのイグニッションキーＩＫをキー孔Ｒａから抜き取ることにより、係止手段７による作動部材５の係止を解くことができ、当該作動部材５を非作動位置から作動位置に移動させることで、シャッター２を開放位置から閉塞位置に自動的に移動させることができる。すなわち、イグニッションキーＩＫをロック位置に回転操作することで、車両のハンドルバーをロックさせるとともに、その状態からイグニッションキーＩＫをキー孔Ｒａから抜き取ることで、シャッター２を自動的に閉塞位置とすることができるのである。
【００５３】
なお、キー孔Ｒａに挿入したイグニッションキーＩＫをオフ位置からオン位置まで回転操作すると、図２２〜２４に示すように、当該操作に応じてカム部材４が回転するものの、係止手段７による係止が維持されて作動部材５が非作動位置に保持されるとともに、シャッター２が開放位置に保持されることとなる。
【００５４】
上記実施形態によれば、作動部材５は、シャッター２と連動可能とされるとともに、非作動位置、作動位置及びハウジング１に対して係止された係止位置の間で移動可能とされ、非作動位置から作動位置に移動することでシャッターを開放位置から閉塞位置に移動させ、且つ、マグネットキーＭＫ（解錠手段）によりシャッター２を閉塞位置から開放位置に移動させた際に係止位置とされるので、当該作動部材５を係止させる機能（マグネットキーＭＫによりシャッター２を閉塞位置から開放位置に移動させた際の係止機能）を作動部材自体が併せ持つこととなり、構成を簡素化し得るとともに部品点数が増大してしまうのを抑制してコストを低減させることができる。
【００５５】
また、本実施形態に係る特定位置は、ロック位置であるので、駐車時にロータＲをロック位置まで操作してハンドルバーをロックさせる場合に限ってシャッター２を自動的に閉塞位置まで移動させることができる。したがって、運転者が防犯を意識した状態（すなわち、ロータＲをロック位置まで操作してキー孔ＲａからイグニッションキーＩＫを抜き取る際）において、ハンドルバーのロックに加え、シャッター２を自動的に閉塞位置まで移動させるとともに、防犯を意識しない状態（すなわち、ロータＲがオフ位置にあるときキー孔Ｒａからイグニッションキーを抜き取る際）において、シャッター２を自動的には閉塞位置まで移動させない構成とすることができ、防犯性の向上と利便性の両立を図ることができる。
【００５６】
さらに、本実施形態によれば、作動部材５と係止手段７とが連動（連携）可能とされ、係止位置にある作動部材５の係止を係止手段７が解いて非作動位置とするとともに、当該非作動位置とされた作動部材５を係止手段７にて係止するので、係止位置にある作動部材５を円滑且つ確実に非作動位置とすることができる。
【００５７】
またさらに、本実施形態に係る作動部材５は、係合凸部５ａが形成されるとともに、ハウジング１には、作動部材５が係止位置にあるとき当該係合凸部５ａを係止する係合溝部１ｂｂが形成されたので、より簡単な構成にて確実に作動部材５を係止位置にて係止させることができる。また、本実施形態に係る作動部材５は、案内凸部５ｂが形成されるとともに、ハウジング１には、当該案内凸部５ｂを嵌合させて作動部材５の非作動位置と作動位置との間の移動を案内する案内溝部（第２案内溝部１ｂｃ）が形成されたので、より確実且つ円滑に作動部材５を非作動位置と作動位置との間で移動させることができる。
【００５８】
なお、本実施形態においては、係合凸部５ａを作動部材５に形成するとともに、係合溝部１ｂｂをハウジング１（蓋部１ｂ）に形成しているが、係合凸部をハウジング１（ケース部１ａ又は蓋部１ｂの何れでも可能）に形成するとともに、係合溝部を作動部材５に形成するようにしてもよい。また、作動部材５の係止位置における係止方法は、本実施形態の如き係合凸部５ａ及び係合溝部１ｂｂによるものに限定されず、他の係止方法とすることができる。
【００５９】
以上、本実施形態について説明したが、本発明はこれに限定されず、係止手段７による係止が解除されるイグニッションキーＩＫの位置（ロータＲの位置）は、ロック位置に限定されるものではなく、例えばオフ位置にあるとき、或いは他の特定位置（この場合、オン位置、オフ位置及びロック位置に加えて他の位置が設定される）にあるときであってもよい。また、作動部材５を非作動位置から作動位置に向かって常時付勢するコイルバネ６に代えて、他の汎用的な付勢手段としてもよい。さらに、施錠手段は本実施形態の如きマグネット錠３に限定されるものではなく、解錠手段も本実施形態の如きマグネットキーＭＫに限定されるものではない。
【産業上の利用可能性】
【００６０】
キー孔に挿入されたイグニッションキーの回転操作及び当該キー孔からの抜き取りに応じて動作するカム部材と、シャッターと連動可能とされるとともに、非作動位置、作動位置及びハウジングに対して係止された係止位置の間で移動可能とされ、非作動位置から作動位置に移動することでシャッターを開放位置から閉塞位置に移動させ、且つ、解錠手段により前記シャッターを閉塞位置から開放位置に移動させた際に係止位置とされる作動部材と、該作動部材を非作動位置から作動位置に向かって常時付勢する付勢手段と、作動部材を非作動位置にて係止するとともに、ロータが特定位置にあり、且つ、イグニッションキーがキー孔から抜き取られた際のカム部材の動作によって当該係止が解除される係止手段とを具備したシリンダ錠の保護装置であれば、外観形状が異なるもの或いは他の機能が付加されたもの等にも適用することができる。
【符号の説明】
【００６１】
１  ハウジング
１ｂｂ  係合溝部
２  シャッター
３  マグネット錠（施錠手段）
４  カム部材
５  作動部材
５ａ  係合凸部
６  コイルバネ（付勢手段）
７  係止手段
ＭＫ  マグネットキー（解錠手段）
ＩＫ  イグニッションキー
【図１】
2015021295.tif 000003
【図２】
2015021295.tif 000004
【図３】
2015021295.tif 000005
【図４】
2015021295.tif 000006
【図５】
2015021295.tif 000007
【図６】
2015021295.tif 000008
【図７】
2015021295.tif 000009
【図８】
2015021295.tif 000010
【図９】
2015021295.tif 000011
【図１０】
2015021295.tif 000012
【図１１】
2015021295.tif 000013
【図１２】
2015021295.tif 000014
【図１３】
2015021295.tif 000015
【図１４】
2015021295.tif 000016
【図１５】
2015021295.tif 000017
【図１６】
2015021295.tif 000018
【図１７】
2015021295.tif 000019
【図１８】
2015021295.tif 000020
【図１９】
2015021295.tif 000021
【図２０】
2015021295.tif 000022
【図２１】
2015021295.tif 000023
【図２２】
2015021295.tif 000024
【図２３】
2015021295.tif 000025
【図２４】
2015021295.tif 000026